(57)【特許請求の範囲】
【請求項１】
起動状態と、該起動状態よりも消費電力の小さいスレーブ状態とに状態切換え可能なカメラであり、且つ
撮影準備動作を実行せしめる第１のスイッチと、
露光動作を開始せしめる第２のスイッチと、
リモートコントロール信号を受信する受信手段と、
前記リモートコントロール信号に応じて前記露光動作を実行せしめるリモートコントロールモードを設定可能なモード設定手段と、を備えたリモートコントロール機能付きカメラにおいて、
前記リモートコントロールモードに設定されており且つ該リモートコントロールモード設定時点からの前記起動状態を維持している所定期間中は、前記第１のスイッチの操作に応じて前記撮影準備動作を実行せしめてその撮影準備動作の結果を保持し、前記第２のスイッチの操作に応じて前記撮影準備動作の結果の保持を継続する制御手段と、を備え、
前記制御手段は、前記所定期間中の前記第２のスイッチの操作に応じた前記露光動作は禁止することを特徴とするリモートコントロール機能付きカメラ。
【請求項２】
請求項１記載のリモートコントロール機能付きカメラにおいて、
前記カメラの内部回路への給電をオン、オフするメインスイッチと、
前記リモートコントロールモードを設定してからの経過時間をカウントする計時手段とをさらに備え、
前記制御手段は、前記メインスイッチにより前記給電をオフした場合、前記モード設定手段を再操作した場合、および前記リモートコントロール信号を受光する前に前記経過時間が所定時間を超えた場合のいずれかの場合に、前記撮影準備動作の結果の保持および前記リモートコンロールモードの設定の少なくとも一方を解除することを特徴とするリモートコントロール機能付きカメラ。
【請求項３】
請求項１または請求項２記載のリモートコントロール機能付きカメラにおいて、
前記リモートコンロールモード設定時であって前記第２のスイッチの操作前に前記リモートコントロール信号を受信した場合は、前記撮影準備動作と前記露光動作を順次行うことを特徴とするリモートコントロール機能付きカメラ。
【請求項４】
請求項１、請求項２または請求項３記載のリモートコントロール機能付きカメラにおいて、
前記露光動作を禁止して前記撮影準備動作の結果の保持を継続した後、前記リモートコントロール信号を受信した場合に前記露光動作を開始することを特徴とするリモートコントロール機能付きカメラ。
【請求項５】
請求項３または請求項４記載のリモートコントロール機能付きカメラにおいて、
自動露出制御装置を備え、
この自動露出制御装置による制御値の決定を、前記第１のスイッチの操作、前記第２のスイッチの操作のいずれかで行うように構成したことを特徴とするリモートコントロール機能付きカメラ。
【発明の詳細な説明】
【０００１】
【発明の属する技術分野】
本発明は、たとえば赤外光のような光制御信号を照射するワイヤレスリモートコントローラ（無線遠隔操作器；以下、単にリモコンという）を用い、記念写真撮影や接写撮影などをワイヤレスリモコンによって行うリモートコントロール機能付きカメラに関する。
【０００２】
【従来の技術】
たとえばコンパクトタイプのスチルカメラにおいて、リモートコントロール撮影（遠隔操作による撮影；以下、リモコン撮影という）を行うにあたって、以前は専用のリモコン撮影用ケーブル（ケーブルレリーズ、ワイヤレリーズ）を用いた有線式が多かったが、最近は赤外光を利用した、いわゆるワイヤレスリモコンが増加している。
【０００３】
その原理は、遠隔操作器であるリモコン側から変調された赤外光を照射し、カメラ本体に設けた受光窓を介して受光回路がその赤外光による光信号を受信し、露光動作を行うものである。
このようなワイヤレスリモコンを用いた撮影の場合には、上述した有線式ではケーブルの長さが操作できる距離を制限しているのに対し、遠距離からの操作が可能である等の利点がある。また、従来のセルフタイマを使用したセルフタイマ撮影では、撮影のタイミングが設定した時間に制約されることになるが、ワイヤレスリモコンを用いれば任意の時点で撮影することが可能となる。
【０００４】
また、このようなリモコンを用いたリモコン撮影としては、上述したセルフタイマ撮影の代わりに用いる以外に、たとえば接写撮影などに用いることもある。この場合には、上述したリモコン撮影用ケーブルを用いた場合に比べ、操作時の機械的振動がカメラ本体に伝わることを避けることができ、いわゆるカメラブレを起こしてしまうおそれがなくなる。
【０００５】
上述したようなリモートコントロール機能（リモコン機能）付きカメラにおいても通常、レリーズ釦の半押し操作に伴ってオートフォーカス駆動やフォーカス保持（フォーカスロック）を行い、レリーズ釦の全押し操作でレリーズ動作を行うように構成していた。従来は、さらに、リモートコントロール設定手段（リモコン設定手段）によりリモートコントロールモード（リモコンモード）に設定した場合でも、レリーズ釦の全押し操作によるレリーズ動作を行うことができるように構成していた。
この半押し操作によるフォーカスロックは、上述したリモコンモードにおいて、ファインダ視野内での構図を変えたりするときに便利である。
【０００６】
【発明が解決しようとする課題】
しかし、カメラにおけるレリーズ釦は、半押し操作に伴って半押しスイッチをオンする第１ストロークと全押し操作に伴ってレリーズスイッチをオンする第２ストロークとのストローク差が少ないことから、上述したリモコンモード設定時にフォーカスロックさせるつもりでもレリーズ釦を全押ししてしまい、レリーズ動作が行われてしまうことがあった。
【０００７】
また、リモコン撮影として花などの接写撮影を行う場合には、カメラを地面すれすれに設置し、ファインダを覗くのに苦労することがある。しかも、このような場合にもフォーカスロックさせるには、上述したレリーズ釦を上述した第１ストロークの位置で指を止める必要がある。しかし、このような微妙な操作は煩雑であり、撮影者にとってかなりの負担を与えるものであった。
【０００８】
本発明はこのような事情に鑑みてなされたものであり、リモコン操作によってセルフタイマ撮影を行うモードの設定時において、レリーズ釦を不用意に全押ししてもレリーズ動作を行わず、フォーカスロックを行う際の煩雑さを防ぐことができるリモコン機能付きカメラを得ることを目的とする。
【０００９】
【課題を解決するための手段】
このような目的に応えるために本発明に係るリモートコントロール機能付きカメラは、起動状態と、該起動状態よりも消費電力の小さいスレーブ状態とに状態切換え可能なカメラであり、且つ撮影準備動作を実行せしめる第１のスイッチと、露光動作を開始せしめる第２のスイッチと、リモートコントロール信号を受信する受信手段と、前記リモートコントロール信号に応じて前記露光動作を実行せしめるリモートコントロールモードを設定可能なモード設定手段と、を備えたリモートコントロール機能付きカメラにおいて、前記リモートコントロールモードに設定されており且つ該リモートコントロールモード設定時点からの前記起動状態を維持している所定期間中は、前記第１のスイッチの操作に応じて前記撮影準備動作を実行せしめてその撮影準備動作の結果を保持し、前記第２のスイッチの操作に応じて前記撮影準備動作の結果の保持を継続する制御手段と、を備え、前記制御手段は、前記所定期間中の前記第２のスイッチの操作に応じた前記露光動作は禁止することを特徴とするものである。
【００１０】
また、本発明に係るリモートコントロール機能付きカメラは、前記カメラの内部回路への給電をオン、オフするメインスイッチと、前記リモコンモードに設定してからの経過時間をカウントする計時手段とをさらに備えており、前記制御手段は、前記メインスイッチにより前記給電をオフした場合、前記モード設定手段を再操作した場合、および前記リモコン信号を受光する前に前記経過時間が所定時間を超えた場合のいずれかの場合に、前記撮影準備動作の結果の保持および前記リモコンモードの設定の少なくとも一方を解除するようにしたものである。
【００１１】
さらに、本発明に係るリモートコントロール機能付きカメラは、前記リモコンモード設定時であって前記第２のスイッチの操作前に前記リモコン信号を受信した場合は、前記撮影準備動作と前記露光動作を順次行うものである。
また、本発明に係るリモートコントロール機能付きカメラは、前記露光動作を禁止して前記撮影準備動作の結果の保持を継続した後、前記リモコン信号を受信した場合に前記露光動作を開始するものである。
さらに、本発明に係るリモートコントロール機能付きカメラは、自動露出制御装置を備え、この自動露出制御装置による露出値の決定を、前記第１のスイッチの操作、前記第２のスイッチの操作のいずれかで行うように構成したものである。
【００１２】
本発明によれば、リモコンセルフタイマモードに設定してある場合において、フォーカスロックするつもりで、第１のスイッチ（たとえばレリーズ釦の第１ストロークである半押しスイッチ）を押そうとして誤って第２のスイッチ（たとえばレリーズ釦の第２ストローク）まで押し込んでもレリーズ動作せず、露光は行われない。
【００１３】
また、本発明によれば、たとえばレリーズ釦が第２ストロークまで押されて第２のスイッチが操作されても、第１のスイッチの操作によるフォーカスロック状態を維持することができる。
【００１４】
また、本発明によれば、リモコンモード設定時において、レリーズ釦などのスイッチ操作なしでリモコンからの制御信号によりオートフォーカス（ＡＦ）、自動露出（ＡＥ）、レリーズ動作を行えるようにしたり、レリーズ釦の半押し操作（第１のスイッチの操作）でオートフォーカスとフォーカスロックを行い、全押し操作（第２のスイッチの操作）でもフォーカスロック状態の保持とレリーズ禁止とを維持し、その後のリモコン操作でレリーズ動作させることができる。
【００１５】
第１のスイッチとはたとえばレリーズ釦の第１ストローク操作によりオンする半押しスイッチを、第２のスイッチとはたとえばレリーズ釦の第２ストローク操作によりオンする全押しスイッチをいうが、これに限らず、別々のスイッチを用いたものでもよい。
【００１６】
【発明の実施の形態】
図１ないし図５は本発明に係るリモートコントロール機能付きカメラの一つの実施の形態を示す。
図５は後述するようなリモートコントロール機能（リモコン機能）を備えたスチルカメラを示す斜視図である。このスチルカメラ１は、カメラ本体２の前面部中央に撮影レンズ３ａを有するレンズ鏡筒３を、カメラ本体２の前面部の一側寄りにグリップ４を、グリップ４と反対側上部にストロボ発光部５を、カメラ本体２の上端部にレリーズ釦６をそれぞれ備えている。
【００１７】
さらに、前記カメラ本体２の前面部上部には、赤外光等の光信号を発するリモコン７からの光信号（リモコン制御信号）を受光する信号受け部としての受光窓８と、セルフタイマ撮影時に点滅または発光するセルフタイマランプ９とを備えている。なお、受光窓８はリモコン７からの光信号を透過する透明窓として形成されている。
【００１８】
このようなスチルカメラ１は、赤外光等の光信号を発するリモコン７から照射された信号（光信号）を受光窓８を介してカメラ本体２の内部に設けた後述する受光素子１１（図１参照）で受信する。この受光素子１１がリモコン７からの光信号を受信することにより、図示しないマイクロコンピュータによってレリーズ釦６が押圧操作された場合と同様の露光動作（撮影動作）を実行する。
たとえばセルフタイマ撮影などを行う場合には、カメラ１を三脚などに立てておき、リモコン７をカメラ１の正面から操作するとよい。また、接写撮影などを行うときには、リモコン７をカメラ１の側方等から受光窓８に向けて操作するとよい。
【００１９】
図１は本発明に係るリモコン機能付きカメラの回路ブロック図である。同図において、カメラ内にはカメラ内での撮影動作制御を行うＭＣＵ（マイクロコンピュータ）１０が設けられている。このＭＣＵ１０には前述したように撮影者が手にしているリモコン７（図４参照）からの光信号を受光する受光素子１１が接続され、前記光信号（リモコン制御信号）を受信しその出力をＭＣＵ１０に伝える。
【００２０】
前記ＭＣＵ１０にはランプ１２が接続され、被写体が低輝度である時などにおいて被写体にパターン光を照射し、後述する自動焦点調節装置１９の合焦動作を補助するＡＦ補助光として用いられる。このランプ１２の点灯は、トランジスタ１３によって行われ、この制御はＭＣＵ１０で行う。
【００２１】
前記ＭＣＵ１０には第１のスイッチとしての半押しスイッチ１４が接続され、前記レリーズ釦６の第１ストローク（半押し操作）でオンすることにより後述する自動露出装置１８および自動焦点調節装置１９による検出動作の開始などの撮影準備動作を起動するスイツチとして機能する。
前記ＭＣＵ１０には第２のスイッチとしてのレリーズスイッチ１５が設けられ、前記レリーズ釦６の第２ストローク（全押し操作）でオンすることにより露光動作を開始するスイッチとして機能する。
【００２２】
前記ＭＣＵ１０にはリモコンモード設定手段としてのリモコンモードスイッチ１６が接続され、図３に示すモード設定の判定プログラムから明らかなように、ノーマル撮影モード、あるいはセルフタイマモード、リモコンセルフタイマモード（リモコンによるセルフタイマモード）およびリモコンレリーズモード（リモコンによるセルフタイマモード）を設定できるスイッチとして機能する。
【００２３】
ここで、リモコンセルフタイマモードとは、セルフタイマ機能を利用してリモコン操作によるリモコン信号に応じて計時を開始し、所定時間経過後にレリーズ動作（シャッタ開閉制御）を行うモードである。また、リモコンレリーズモードとは、たとえば遠隔操作用のリモコンを操作した時に、その光信号に応じて直ちにレリーズ動作（シャッタの開閉制御）を行うモードである。
また、セルフタイマモードとは、カメラ本体２側のセルフタイマ機構（図示せず）を用いて一定時間後にレリーズ動作を行うモードである。
【００２４】
前記ＭＣＵ１０には被写体の輝度を測定して前記ＭＣＵ１０に測光情報を伝達する自動露出装置１８が接続され、この測光情報に基づいてＭＣＵ１０内で露出情報が求められる。
前記ＭＣＵ１０には被写体に対する撮影レンズ３ａの焦点調節情報、または被写体に対する距離情報を検出して前記ＭＣＵ１０に当該情報を伝達する自動焦点調節装置１９が接続され、この焦点調節情報または距離情報に基づいて撮影レンズ３ａを駆動制御する。
前記ＭＣＵ１０には絞り制御装置２０が接続され、ＭＣＵ１０からの露出情報に基づく制御信号によって撮影レンズ３ａの絞りを制御する。
前記ＭＣＵ１０にはシャッタ制御装置２１が接続され、ＭＣＵ１０からの露出情報に基づく制御信号によってシャッタ（図示せず）の開閉制御を行う。
【００２５】
前記ＭＣＵ１０には給送制御装置２２が接続され、ＭＣＵ１０からのフィルム給送に関する制御信号によってフィルム給送を行う。
前記ＭＣＵ１０には表示装置２３が接続されている。この表示装置２３は、リモコンモードスイッチ７で設定したモードや制御絞り値およびシャッタスピードを表示する液晶表示装置であって、ＭＣＵ１０で駆動される。
【００２６】
前記ＭＣＵ１０にはオートフォーカス設定スイッチ２４が接続されている。この設定スイッチ２４が閉じたＬｏｗレベルでは、マニュアルフォーカス（ＭＦ）となり、自動焦点調節装置１９の検出結果に基づいて被写体に焦点が合っているか否かを判断し、ＭＣＵ１０によって前記表示装置２３にその表示を行う（フォーカスエイド）。一方、設定スイッチ２４が開いた時はオートフォーカス（ＡＦ）であり、自動焦点調節装置１９はその検出結果に基づいてレンズ駆動を行い、自動的に被写体までの焦点調節を行う。
【００２７】
図２、図３および図４は本発明に係るリモートコントロール機能付きカメラの動作を示すフローチャートであり、これらのフローチャートに基づき、動作説明を以下に行う。
始めに、カメラ本体２の一部に設けた図示しないメインスイッチ（メインＳＷ）によってカメラ１が撮影可能状態になると、図２においてＳ１００で示すモード設定（後述する図３参照）でモードの設定を判定した後、ステップＳ１から動作を開始する。
【００２８】
このステップＳ１では、リモコンモードスイッチ１６によって設定されているモードを識別する。すなわち、リモコンモード（リモコンセルフタイマモードまたはリモコンレリーズモード）であるかそれ以外のモード（ノーマル撮影モードまたはセルフタイマモード）であるかを識別する。そして、リモコンモードであればステップＳ２へ進む。また、リモコンモードでなければステップＳ２１に進む。
【００２９】
ステップＳ２では、６０秒間を計時するためのタイマがスタートし、ステップＳ３に進む。すなわち、リモコンモードに設定してある場合は、撮影者がカメラより離れて被写体位置に着いて、構図等を考慮する時間を得るために、通常の半押し操作による通電状態を維持するためのタイマの８秒よりも十分長くする。勿論、このタイマのリモコンモードでの第１回目の待機時間は６０秒に限らない。この時間は、上述したように撮影者が構図等を考慮するに必要な時間を満足するとともに、撮影終了後に電源を切り忘れた場合に電池の消耗を防ぐことができる程度の時間とするとよい。
【００３０】
ただし、このタイマ中は、ＭＣＵ１０は起動状態であり、タイマのオフでのスレーブ状態（ステップＳ３３）と比べると、消費電流は非常に大きいので、必要以上に長くすることは電池での撮影可能本数を少なくすることになる。
したがって、リモコン７で一こま撮影した後の第２回目以上の半押し操作による通電状態を維持するためのタイマの待機時間は上述した６０秒よりも短い時間、ここでは２０秒（ステップＳ２０）に設定し、電源の切り忘れによる消費電力を抑えている。
【００３１】
ステップＳ３では受光素子１１によってリモコン７からの光信号（リモコン制御信号）が受信された否かを確認し、リモコン制御信号が受信されれば、ステップＳ４に進み、リモコン制御信号が受信されなければステップＳ２２に進む。
ステップＳ４では、撮影レンズ３ａを合焦位置等でロック状態とする、いわゆるフォーカスロックが設定されているか否かを判断し、フォーカスロックが設定されていれば、ＡＦ（オートフォーカス）を行わずにステップＳ３４へ進む。また、フォーカスロックが設定されていなければステップＳ５へ進む。
【００３２】
ステップＳ５では、オートフォーカス設定スイッチ２４によりＡＦとＭＦ（マニュアルフォーカス）とのいずれが設定されているかを判断し、ＭＦに設定（Ｌｏｗレベル）に設定されていると、ＡＦを行わずにステップＳ３４へ進む。ＭＦに設定されていないと、ステップＳ６に進む。
ステップＳ６では、被写体の輝度の測定を自動露出装置１８によって行い、さらに自動焦点調節装置１９により被写体までの距離を測定し、その結果に基づいて撮影レンズ３ａの焦点距離調節を行い、被写体像がフィルム面およびファインダの焦点面に合焦するようにし、ステップＳ７へ進む。
【００３３】
ステップＳ７では、自動焦点調節装置１９が焦点検出不能であるか否かを判断し、焦点検出不能であったら、ステップＳ２８へ進み、焦点検出ができたら、ステップＳ８へ進む。
ステップＳ８では、リモコンレリーズモードか否かを判断し、リモコンレリーズモードであったらステップＳ９へ進み、違っていたら（すなわちリモコンセルフタイマモードであったら）ステップＳ３０へ進む。
【００３４】
ステップＳ９では、リモコンレリーズモードフラグＲＥＭ１をセットしステップＳ１０へ進む。
このステップＳ１０では、一眼レフカメラの場合、図示しないクイックリターンミラーをミラーアップしてからステップＳ１１へ進む。
ステップＳ１１では、ＭＣＵ１０で演算されたシャッタ秒時に基づいてシャッタ開閉制御を行いステップＳ１２へ進む。
ステップＳ１２ではクイックリターンミラーのミラーダウンおよびシャッタチャージを行い、ステップＳ１３へ進む。
【００３５】
ステップＳ１３では、リモコンレリーズモードフラグＲＥＭ１がセットされているか否かを判断し、リモコンレリーズモードであればステップＳ１４へ進み、撮影終了表示を行う。リモコンレリーズモードでなければ撮影終了表示を行わず、ステップＳ１７へ進む。
【００３６】
ここで、上述したステップＳ１４では、撮影が終了したことを撮影者へ知らせるために補助光であるランプ１２を点灯させ、ステップＳ１５へ進む。
ステップＳ１５では、撮影者にランプ１２が点灯したことが分かるように２秒間点灯するために２秒間ウエイトしステップＳ１６へ進む。
ステップＳ１６ではランプ１２を消灯し、ステップＳ１７へ進む。
【００３７】
前記ステップＳ１７では、リモコンレリーズモードフラグＲＥＭ１をリセットしステップＳ１８へ進む。
ステップＳ１８では、フィルムの給送制御装置２２を動作させフィルムを一こま給送し、ステップＳ１９へ進む。
【００３８】
ステップＳ１９では通電状態を維持するタイマをリセットし、ステップＳ２０へ進む。
ステップＳ２０では次回のタイマ時間を前述した６０秒よりも短い時間、たとえば２０秒としてタイマをスタートし、ステップＳ３へ進む。
ステップＳ２１では、リモコンモード以外のモードであるときの半押し操作による通電状態を維持するためのタイマとして、たとえば８秒間を計時するタイマをスタートし、リモコンモード以外のシーケンスヘ進む。なお、ここでは、このリモコンモード以外のモード（ノーマル撮影モード、セルフタイマモード）でのフローチャートについての図示および説明は省略する。
【００３９】
ステップＳ２２ではリモコンモードスイッチ１６が操作されたか否かを確認し、操作された時は図４の▲１▼へ進む。また、操作されていない時は、ステップＳ２３へ進む。
ステップＳ２３では、レリーズ釦６の操作によって半押しスイッチ１４がオンとなったか否かを判断し、オンとなった場合はステップＳ２４へ進み、オフのままであればステップＳ２７へ進む。
ステップＳ２４では、前述したステップＳ６と同じように被写体の自動露出および自動焦点調節を行いステップＳ２５へ進む。
【００４０】
ステップＳ２５ではリモコンモード中にレリーズ釦６が半押し操作されているので、リモコン制御信号を受信したとしても被写体までの焦点調節を行わず（ステップＳ５，６，７をスッキプする）、リモコンモード中にレリーズ釦６を再度半押し操作するか、タイマ終了するまで現在（ステップＳ２４）の焦点調節状態を保持するようにし、ステップＳ２６へ進む。
ステップＳ２６では、レリーズ釦６の全押しによりレリーズスイッチ１５がオンされたか否かを判断し、オンしていないならステップＳ３へ戻り、オンしていたとしてもステップＳ３へ戻り、リモコンモードの設定中はレリーズスイッチ１５による通常の撮影動作（レリーズシーケンス動作）を禁止する。
【００４１】
ステップＳ２７ではメインスイッチが操作されたか否かを判断し、操作されたらステップＳ２９へ進み、操作されていなければステップＳ２８へ進む。
ステップＳ２８では、半押し操作による通電状態を維持するためのタイマが終了したか否かを確認し、終了していなければスティップＳ３へ戻り、終了していればステップＳ２９へ進む。
ステップＳ２９ではフォーカスロック解除し、ステップＳ３３へ進む。
ステップＳ３３では、ＭＣＵ１０を起動状態から低消費電流となるようにスレーブ状態としてこのフローを終了し、次の起動操作まで待機状態となる。
【００４２】
前記ステップＳ３０では、リモコンセルフタイマモードでの撮影直前の状態にあることを表示するために補助光のランプ１２を点灯し、ステップＳ３１へ進む。
ステップＳ３１では、撮影者にランプ１２が点灯したことが分かるように２秒間点灯させるために２秒間待機してからステップＳ３２へ進む。
ステップＳ３２ではランプ１２を消灯し、ステップＳ１０へ進む。
【００４３】
次に、ステップＳ２２にてリモコンモードスイッチ１６が操作された時のＳ１００でのモード設定の判定を行うフローチャートの説明を図３を用いて行う。
ステップＳ１０１では、リモコンモードスイッチ１６がオンされたか否かを確認し、オンされていればステップＳ１０２へ進み、オンされていなければ前述した図２のメインルーチンにリターンする。
【００４４】
ステップＳ１０２では、ノーマル撮影モードであるか否かを判断し、ノーマル撮影モードであればステップＳ１０３へ進み、ノーマル撮影モードでなければステップＳ１０４へ進む。
ステップＳ１０３では、セルフタイマモードに設定し、表示装置２３にセルフタイマモードである旨を表示してから前述した図２のメインルーチンにリターンする。
【００４５】
ステップＳ１０４では、セルフタイマモードであるか否かを判断し、セルフタイマモードであればステップＳ１０５へ進み、セルフタイマモードでなければステップＳ１０６へ進む。
ステップＳ１０５では、リモコンセルフタイマモードに設定し、表示装置２３にリモコンセルフタイマモードである旨を表示してから前述した図２のメインルーチンにリターンする。
ステップＳ１０６では、リモコンセルフタイマモードであるか否かを判断し、リモコンセルフタイマモードであればステップＳ１０７へ進み、リモコンセルフタイマモードでなければステップＳ１０８へ進む。
【００４６】
ステップＳ１０７では、リモコンレリーズモードに設定し、表示装置２３にリモコンレリーズモードである旨を表示してから、前述した図２のメインルーチンにリターンする。
ステップＳ１０８では、ノーマルモードに設定し、表示装置２３にノーマルモードである旨を表示してから前述した図２のメインルーチンにリターンする。
すなわち、上述した図３のフローチャートによって、ノーマル撮影モード、セルフタイマモード、リモコンセルフタイマモード、リモコンレリーズモードの四つのモードを順繰りに設定できる。
【００４７】
次に、前述したステップ２２においてリモコンモードスイッチが操作され、モード設定が再操作されたときには、図４のフローチャートに進み、ステップＳ５１で前述したステップＳ２５でのフォーカスロックを解除し、ステップＳ５２でノーマルモード設定を行ってから、図２のステップＳ１に戻る。
【００４８】
次に、オートフォーカスに設定された状態であって、リモコンセルフタイマモードに設定した場合のレリーズ動作について説明する。
【００４９】
すなわち、リモコンセルフタイマモードに設定した状態であるのでステップＳ１からＳ３へ進みリモコン制御信号を受信したか否かを判断する。リモコン制御信号が入力されるまではＳ３→Ｓ２２→Ｓ２３→Ｓ２７→Ｓ２８→Ｓ３のループで６０秒間を計時するタイマにより６０秒間の待機状態となる。
ここで、この６０秒間の待機状態の途中でレリーズ釦６を半押し操作すると、Ｓ２３→Ｓ２４→Ｓ２５→Ｓ２６→Ｓ３のループでフォーカスロックを行う。もし誤って、レリーズ釦６を全押し操作し、レリーズスイッチ１５がオンされても、ステップＳ２６から明らかなように、レリーズせずに、フォーカスロックされたままになっている。
【００５０】
上述したようなリモコンセルフタイマモードの設定時において、半押し操作による半押しスイッチ１４をオンした時点でフォーカスロックするのは、構図内に主要被写体があるか否かでフォーカスロックする時期が異なるからである。特に、この時期を撮影者に任意に選択させた方が便利である。
【００５１】
上述したリモコンセルフタイマモードに設定されてから６０秒以内にリモコン制御信号が入力されると、Ｓ４以降へ進む。
ここで、このリモコンセルフタイマモードへの設定後に半押しスイッチ１４をオンしていない場合はフォーカスロックされていないのでステップＳ４からＳ５へ進み、さらにオートフォーカスに設定されているので、Ｓ６→Ｓ７→Ｓ８→Ｓ３０→Ｓ３１→Ｓ３２へ進み、撮影者にレリーズ動作前の状態であることを表示して知らせる。そして、Ｓ１０→Ｓ１１→Ｓ１２→Ｓ１３→Ｓ１７→Ｓ１８→Ｓ１８とフイルムに露光してから一こま巻上げ、さらにＳ１９→Ｓ２０へ進み、次回より半押し操作による通電状態を維持するためのタイマをたとえば２０秒というように６０秒よりも短く設定してからステップＳ３へ戻る。この場合、次回のリモコン撮影では再度オートフォーカスを行い合焦した後に、２秒間のレリーズ動作前の状態にあることの表示が終了した後にレリーズされる。
【００５２】
一方、上述したリモコンセルフタイマモードを設定した後に半押しスイッチ１４がオンされている場合はフォーカスロックされているから、ステップＳ４からＳ３４へ進み、自動露出を行った後Ｓ８→Ｓ３０→Ｓ３１→Ｓ３２へ進み、撮影者ヘレリーズ動作前の状態であることを表示して知らせ、Ｓｌ０→Ｓ１１→Ｓ１２→Ｓ１３→Ｓ１７→Ｓ１８とフィルムに露光し一こま巻上げ、さらにＳ１９→Ｓ２０へ進み、次回より半押し操作による通電状態を維持するためのタイマの計時時間を２０秒に短く設定してからステップＳ３へ戻る。この場合は、半押し操作によってフォーカスロックされており、次回のリモコン撮影も同じ焦点距離で撮影される。
【００５３】
さらに、オートフォーカスに設定された状態であって、リモコンレリーズモードに設定した場合のレリーズ動作について説明する。
リモコンセルフタイマモードに設定した状態であるからＳ１からＳ３へ進みリモコン制御信号を受信したか否かを判断する。リモコン制御信号が入力されるまではＳ３→Ｓ２２→Ｓ２３→Ｓ２７→Ｓ２８→Ｓ３のループで６０秒間待機状態となる。
【００５４】
ここで、この６０秒間の待機状態の途中でレリーズ釦６を半押し操作すると、半押しスイッチ１４がオンし、Ｓ２３→Ｓ２４→Ｓ２５→Ｓ２６→Ｓ３のループでフォーカスロックされる。
このようなリモコンレリーズモード設定時においても、前述したリモコンセルフタイマモードの設定時と同様に、上述したように半押し操作による半押しスイッチ１４をオンした時点でフォーカスロックするようにしており、構図内に主要被写体があるか否かでフォーカスロックする時期が異なる際に、撮影者に任意に選択させ得るようにしている。
【００５５】
上述したリモコンセルフタイマモードに設定されてから６０秒以内にリモコン制御信号が入力されると、Ｓ４以降へ進む。
リモコンモードの設定後に半押しスイッチ１４がオンされていない場合はフォーカスロックされていないので、ステップＳ４からＳ５へ進み、オートフォーカス設定されているから、さらにＳ６→Ｓ７→Ｓ８→Ｓ９→Ｓｌ０→Ｓ１１へ進み、リモコン制御信号の受光からレリーズまでのタイムラグを短くし、露光終了後Ｓ１２→Ｓ１３→Ｓ１４→Ｓ１５→Ｓ１６へ進み撮影が終了してことを撮影者へ知らせるためにランプ３を点灯する。そして、Ｓ１７→Ｓ１８とフイルムを一こま巻上げ、さらにＳ１９→Ｓ２０へ進み、次回より半押し操作による通電状態を維持するためのタイマの計時時間を２０秒に短く設定しステップＳ３へ戻る。この場合、次回のリモコン撮影では再度オートフォーカスを行い、合焦した後にタイムラグが少ない状態でレリーズされる。
【００５６】
一方、リモコンレリーズモードの設定後にレリーズ釦６を半押し操作することにより半押しスイッチ１４をオンしてフォーカスロックした場合は、フォーカスロックされているからステップＳ４からＳ３４へ進み、自動露出を行った後にＳ８→Ｓ９→Ｓ１０→Ｓ１１へ進み、リモコン制御信号の受光からレリーズするまでのタイムラグを短くし、露光終了後Ｓ１２→Ｓ１３→Ｓ１４→Ｓ１５→Ｓ１６へ進み撮影が終了したことを撮影者へ知らせるためにランプ１２を点灯する。そして、Ｓ１７→Ｓ１８とフィルムを一こま巻上げ、さらにＳ１９→Ｓ２０へ進み、次回より半押し操作による通電状態を維持するためのタイマの計時時間を２０秒に短く設定してからステップＳ３へ戻る。
この場合は、半押し操作によってフォーカスロックされており、次回のリモコン撮影も同じ焦点調節状態で撮影される。
【００５７】
なお、本発明は上述した実施の形態で説明した構造には限定されず、各部の形状、構造等を適宜変形、変更し得ることはいうまでもない。
たとえば上述した実施の形態では、リモコン７からカメラ１側に伝送する制御信号として光信号を用いた場合を説明したが、本発明はこれに限定されず、電波、音波（超音波）等のような制御信号であってもよい。このときには、カメラ１側の受光部も、電波、音波（超音波）を受信することができる受信手段（レシーバ）を用いることも勿論である。
【００５８】
【発明の効果】
以上説明したように本発明に係るリモートコントロール機能付きカメラによれば、リモコンセルフタイマモードに設定してある場合において、フォーカスロックするつもりで、第１のスイッチ（たとえばレリーズ釦の第１ストロークである半押しスイッチ）をオンしようとして誤って第２のスイッチ（レリーズ釦の第２ストロークまで押し込んでレリーズスイッチ）をオン操作してもレリーズ動作をしないので、露光は行われず、フィルムの無駄にしないという利点がある。
【００５９】
また、本発明によれば、レリーズ釦が第２ストロークまで押されても、フォーカスロック状態を維持できるので、カメラを操作し難い場所でも気楽にレリーズ釦を押してフォーカスロックすることができる。
【００６０】
また、本発明によれば、リモートコントロールモード設定時において、レリーズ釦の操作なしでリモコンからの制御信号によりオートフォーカス（ＡＦ）、自動露出（ＡＥ）、レリーズ動作を行えるようにしたり、第１のスイッチの操作（レリーズ釦の半押し操作）でオートフォーカスとフォーカスロックを行い、第２のスイッチ操作（全押し操作）でもフォーカスロック状態の保持とレリーズ禁止とを維持し、その後のリモコン操作でレリーズ動作するように構成すると、撮影者にとって撮影時の自由度を増大させることができる。なお、自動露出（ＡＥ）はレリーズ釦の半押し操作時でも、全押し操作時であってもよい。
【図面の簡単な説明】
【図１】  本発明に係るリモートコントロール機能付きカメラの一つの実施の形態を示す回路ブロック図である。
【図２】  本発明に係るリモートコントロール機能付きカメラの一つの実施の形態を示すフローチャートである。
【図３】  図２のＳ１００でのモード設定の判定を行うためのステップを説明するフローチャートである。
【図４】  図２におけるステップＳ２２でのリモコンモードスイッチが操作されたときのフローチャートである。
【図５】  本発明を適用するリモートコントロール機能付きカメラの概要を説明するための斜視図である。
【符号の説明】
１…カメラ、２…カメラ本体、３…レンズ鏡筒、６…レリーズ釦、７…リモコン（遠隔操作器、リモートコントロール送信機）、８…リモートコントロール信号の受光窓、１０…マイクロコンピュータ（ＭＣＵ）、１１…受光素子、１２…ランプ（補助光）、１４…半押しスイッチ（第１のスイッチ）、１５…レリーズスイッチ（第２のスイッチ）、１６…リモコンモードスイッチ、１８…自動露出装置、１９…自動焦点調節装置、２０…絞り制御装置、２１…シャッタ制御装置、２２…給送制御装置、２３…表示装置、２４…オートフォーカス設定スイッチ。
【図１】
0003988232.tif 000002
【図２】
0003988232.tif 000003
【図３】
0003988232.tif 000004
【図４】
0003988232.tif 000005
【図５】
0003988232.tif 000006